(57)【特許請求の範囲】
【請求項１】
複数の加入者装置が接続される網側装置において、
該網側装置が、各加入者側装置に対する送出許可情報の有効性を設定したメッセージを生成する手段と、該送出許可情報を使用して各加入者側装置に対する送出許可の割当を行うためのポーリング情報を生成する手段と、各加入者側装置からの入力セルの断状態を検出する入力断検出手段と、該メッセージ及び該ポーリング情報の送出完了時点から各加入者側装置の処理時間を考慮した一定時間、該入力断検出手段の該送出許可情報に対する入力断検出動作を待ち合わさせる入力断検出切替制御手段と、を備えたことを特徴とする網側装置。
【請求項２】
複数の加入者装置が接続される網側装置において、
該網側装置が、各加入者側装置に対する送出許可情報の有効性を設定したメッセージを生成する手段と、該送出許可情報を使用して各加入者側装置に対する送出許可の割当を行うためのポーリング情報を生成する手段と、各加入者側装置からの入力セルの断状態を検出する入力断検出手段と、該メッセージ及び該ポーリング情報の送出完了後、該入力断検出手段の検出結果を監視し、該送出許可情報に対する有効／無効性の入力セルをそれぞれ検出/非検出した時以降、該入力断検出手段の該送出許可情報に対する機能を有効/無効にする入力断検出切替制御手段と、を備えたことを特徴とする網側装置。
【請求項３】
該網側装置が、該メッセージ及び該ポーリング情報の送出完了時点から一定時間経過後のみ該送出許可情報の有効／無効性に応じて該入力断検出切替制御手段の機能をそれぞれ有効／無効にするタイマをさらに備えたことを特徴とする請求の範囲第３項に記載の網側装置。
【請求項４】
複数の加入者装置と該複数の加入者装置と接続された網側装置を含む通信システムにおいて、
各加入者側装置が、該網側装置からのメッセージ中の送出許可情報の有効／無効性の設定を認識する手段と、該メッセージにより該有効／無効性の設定を認識した時、該網側装置に対してメッセージを送出する手段とを備え、
該網側装置が、該メッセージの生成手段と、入力セルの断状態を検出する入力断検出手段と、各加入者側装置からのメッセージを受けた時、該入力断検出手段を有効／無効にする手段と、を備えたことを特徴とする通信システム。
【請求項５】
複数の加入者装置が接続される網側装置において、
該網側装置が、複数の種類の送出許可情報について複数の送出許可情報を管理する手段と、これらの送出許可情報によるポーリングを行う手段と、該ポーリングによって受信する同一加入者側装置からのポーリング情報から、設定された送出許可情報に一致する送出許可情報を検出する手段と、該検出した送出許可情報に基づいて送出許可情報の種類を識別して入力セルを分配する加入者側装置識別手段を有することを特徴とした網側装置
【請求項６】
複数の加入者装置と該複数の加入者装置と接続された網側装置を含む通信システムにおいて、
該網側装置が、メッセージ中に設定される複数の種類の送出許可情報について複数の送出許可情報を管理する手段と、これら送出許可情報の有効/無効の切替をメッセージにより各加入者側装置に通知する手段と、該通知を行った時点から各加入者側装置の処理時間を考慮した一定時間後に自局内での該送出許可情報の切替を実行する手段とを備え、
各加入者側装置が、該メッセージを受信してから該一定時間後に自局内での該送出許可情報の切替を実行する手段を有することを特徴とした通信システム。
【請求項７】
複数の加入者装置と該複数の加入者装置と接続された網側装置を含む通信システムにおいて、
各加入者側装置が、メッセージ中に設定される複数の種類の送出許可情報の有効/無効の切替を認識する手段と、該網側装置からのメッセージにより該切替を認識した時、該網側装置に対してメッセージを送出する手段と、を備え、
該網側装置が、入力セルの断状態を検出する入力断検出手段と、各加入者側装置からのメッセージを受けた時、自局内での該送出許可情報の切替を実行して該入力断検出手段を有効／無効にする手段と、を備えたことを特徴とする通信システム。
【請求項８】
複数の加入者装置と該複数の加入者装置と接続された網側装置を含む通信システムにおいて、
該網側装置が、メッセージ中に設定される複数の種類のミニセル送出許可情報を管理する手段と、これらのミニセル送出許可情報の有効/無効の切替を該メッセージにより加入者側装置に通知する手段と、該通知を行った時点から各加入者側装置の処理時間を考慮した一定時間後に自局内での該ミニセル送出許可情報の有効/無効の切替を実行する手段と、を備え、
各加入者側装置が、該メッセージを受信してから該一定時間後に自局内での該ミニセル送出許可情報の切替を実行する手段を有することを特徴とした通信システム。
【請求項９】
複数の加入者装置と該複数の加入者装置と接続された網側装置を含む通信システムにおいて、
各加入者側装置が、メッセージ中に設定されるミニセル送出許可情報の複数の設定を認識する手段と、該網側装置からのメッセージにより該設定の切替を認識した時、該網側装置に対してメッセージを送出する手段とを備え、
該網側装置が、入力セルの断状態を検出する入力断検出手段と、各加入者側装置からのメッセージを受けた時、自局内での該ミニセル送出許可情報の設定の切替を実行して該入力断検出手段を有効／無効にする手段と、を備えたことを特徴とする通信システム。
【発明の詳細な説明】
【０００１】
【技術分野】
本発明は、網側装置及び、ATM-PONのように複数の加入者側装置（ONU）が共通の媒体を介して網側装置（OLT）に接続され網側装置からのポーリング情報により各加入者側装置が情報を送出する通信システムに関し、特にそのポーリング情報に使用される送出許可情報の割当制御に関するものである。
【０００２】
【背景技術】
1．ATM-PONのフレーム構成
ATM-PONシステムについては現在ITU-T勧告G.983.1でその仕様が規定されている。G.983.1で規定されるATM-PON伝送方式におけるフレーム構成を第20図に示す。1フレームは網側装置(OLT)から加入者側装置(ONU)への下り方向、加入者側装置から網側装置への上り方向とも155.52Mb/sで23744bitsである。
【０００３】
下り方向は53バイトセルの連続伝送で、155.52Mb/sと622.08Mb/sの2つの伝送速度が規定されており、155.52Mb/sの場合は56セル、622.08Mb/sの場合は224セルで1フレームとなる。これに対し、上り方向は56バイトセルを複数の加入者側装置が間欠的に送出する伝送方式で、伝送速度は155.52Mb/sのみ、フレームは56バイト長のタイムスロットを53スロットで仮想的な1フレームを構成する。
【０００４】
下り方向のセルは大別すると物理レイヤOAM（以下、PLOAMと称する）セルとATMセルであり、PLOAMセルはフレームを28セル単位で分割（155.52Mb/sで2つ、622.08Mb/sで8つ）したときの各ブロックの先頭に常に送出される。第21図は下り方向に伝送されるPLOAMセルの構成を示す。
【０００５】
一方、上り方向のセルには、下りの2種類のセルに加えて53バイトより短いセル（ミニセル）があり、これは56バイトのタイムスロットをさらに複数に分割したスロット（Divided_slot）で伝送される。どのタイムスロットにどの加入者側装置がどのセルを伝送するかは後述するような方法で網側装置が指定する。上りのPLOAMセルの構成については第22図に示す。
2. 上りセルの送出制御について
次に上記上りセル送出の指定方法について説明する。
【０００６】
まず、加入者側装置が各セルを送出するには、網側装置からそのセルの送出許可用の番号を割り当てる必要がある。この送出許可番号(grant)は、セルの種類に応じて、ATMセルの送出許可情報(Data grant)、PLOAMセルの送出許可情報(PLOAM grant)、ミニセルの送出許可情報(Divided_slot grant)として規定されている。
【０００７】
セル送出許可情報およびPLOAMセル送出許可情報は網側装置個別に、ミニセル送出許可情報は複数の網側装置を1グループとしてグループに個別に、それぞれ重複せずに割り当てられる。これらはメッセージにより該当する加入者側装置に通知される。
【０００８】
ここで、メッセージとは網側装置−加入者側装置間の制御情報等であり、PLOAMセルによって伝送される。各PLOAMセル内の「MESSAGE_**」に当たる領域が上り／下りのメッセージを伝送する領域であり、下りのメッセージの中に送出許可通知用のメッセージも規定されている。
【０００９】
データセル送出許可情報およびPLOAMセル送出許可情報の割当を通知するメッセージとしては送出許可割当(Grant_allocation)メッセージが、ミニセル送出許可情報の割当を通知するメッセージとして送出許可設定(Divided_slot_grant_configuration)メッセージが規定されている(これらについては後述する)。ミニセル送出許可情報については、これに対して送出するミニセルの各種設定情報（ペイロード長、送出開始位置、サービスID）も併せて通知される。
【００１０】
各加入者側装置にこれら送出許可情報が割り当てられると、実際のセル送出指定がPLOAMセルにおける「GRANT**」の領域で行なわれる。
【００１１】
領域「GRANT**」は第23図に示すように、下りフレーム中の何番目のPLOAMセルであるかによって、上りフレームの各タイムスロットと対応する。下りの伝送速度によらず、下りフレームの先頭のPLOAMセルの最初の領域GRANT1から同2番目のPLOAMセルの領域GRANT26までで上りフレームの先頭タイムスロットから順に指定されることになる。網側装置は各領域GRANT**に各種送出許可情報を書き込んで各加入者側装置に通知し、加入者側装置は上記メッセージにより通知された送出許可情報をこの領域に見つけると、対応する上りスロットの位置に各種セルを送出する。
3. 送出許可情報の割当に使用されるメッセージ
メッセージは網側装置−加入者側装置間での制御情報などを伝送するものであり、上りPLOAMセルおよび下りPLOAMセルの領域MESSAGE_**で示される領域で伝送される。上り／下りのそれぞれについていろいろなメッセージが規定されているが、このうち送出許可情報の割当に使用されるものとして、以下に記述する送信許可割当メッセージおよびミニセル送出許可設定メッセージの2つが下り方向のメッセージの中に規定されている。
4. 送信許可割当メッセージ(第24図参照)
本メッセージはデータセル送出許可情報およびPLOAMセル送出許可情報のコードおよびその有効／無効設定を各加入者側装置に通知するものである。
【００１２】
網側装置は加入者側装置に上記セルの送出を許可するに当たっては、まず、本メッセージにより各送出許可情報のコードおよびそれが有効(activate)であることを通知する。
【００１３】
加入者側装置は、宛先が自分であればこのメッセージを処理し、有効であれば自分がどの番号に対してPLOAMセルまたはそれ以外のATMセルを送出するかの設定を行なう。無効(deactivate)であればその番号に対するセル送出を停止する。
【００１４】
現在、このメッセージは運用状態において処理を行なうことになっておらず、運用状態での割当や有効／無効切替については規定がない。
5. ミニセル送出許可設定メッセージ(第25図参照)
本メッセージはミニセル送出許可情報の番号とその有効／無効および位置と長さに関する情報を各加入者側装置に通知するものである。
【００１５】
加入者側装置は、宛先が自分であれば、通知されたミニセル送出許可情報について送信許可割当メッセージ(第24図)と同様の有効／無効処理を行なう。また、この送出許可情報について、これに対して送出するミニセルのペイロード長、オフセット値、及びサービスIDの設定／解除を行なう。
【００１６】
第26図には、ペイロード長（LENGTH）および先頭位置（OFFSET）と上りタイムスロット（Divided_slot）との関係を示す。現在、ミニセル送出許可情報の割当については詳細な規定がなされていない。
【００１７】
上記のATM-PON伝送方式による従来の網側装置及び通信システムの基本的な構成例を第27図に示す。
【００１８】
網側装置OLTにおいて、送出許可情報管理部1は各加入者側装置ONUについて各種送出許可情報および有効／無効の設定を1対1に管理し、またミニセル送出許可情報についてこれを割り当てた各加入者側装置ONUのセルのペイロード長およびスロットにおける位置を示すオフセット値およびサービスIDを管理する。
【００１９】
メッセージ生成部2は設定の変更がある場合に送出許可情報管理部1からの要求に従ってこれを該加入者側装置ONUに通知するメッセージを規定された回数（3回）だけ生成する。
【００２０】
ポーリング情報生成部3では送出許可情報管理部1において「有効」として設定されている送出許可情報を使用してポーリング情報を生成し、生成したポーリング情報を入力断検出部4に通知する。
【００２１】
生成されたメッセージおよびポーリング情報は多重化部5において28セル周期で挿入されるPLOAMセルにマッピングされて加入者側装置ONUに伝送される。
【００２２】
入力断検出部4では、ポーリング情報生成部3で生成された情報から、到着するセルの送出元加入者側装置ONUを管理して各加入者側装置ONU毎にセルの入力監視を行ない、該加入者側装置ONUについて8回連続有効な入力がない場合に入力断状態（LOSi）を検出する。
【００２３】
識別部6は各加入者側装置毎に送出許可情報種別により受信したセルを識別して処理する。
【００２４】
加入者側装置ONUにおいて、メッセージ処理部21はPLOAMセル分離部22で抽出されたPLOAMセルから各種送出許可情報の取得および有効／無効設定またミニセル送出許可情報についてはこれらに加えてペイロード長およびオフセット値を抽出する。
【００２５】
送出許可情報管理部23はメッセージ処理部21により抽出された設定内容に従って各種送出許可情報を1対1で管理する。ミニセル送出許可情報については各種設定情報（ペイロード長、オフセット、サービスID）も管理する。
【００２６】
ポーリング情報抽出部24はPLOAMセルにより伝送されるポーリング情報を監視し、送出許可情報管理部23で有効に設定されている各種送出許可情報を抽出した場合に、該送出許可情報がセル送出許可情報であった場合は上り情報、PLOAMセル送出許可情報であった場合はPLOAMセル、ミニセル送出許可情報であった場合はミニスロットの送出位相を多重化部25に対して通知する。
【００２７】
多重化部25ではポーリング情報抽出部24からの送出すべきセルの種類と送出位相により各種セルを送出する。PLOAMセル送出時にはメッセージ生成部26で生成されたメッセージをマッピングを行なう。
【００２８】
上記のような従来の網側装置及び通信システムにおいて、現在のG.983.1ではメッセージを、加入者側装置がその全てについて最大6フレーム時間内で処理することを規定しているのみである。これは上記2つのメッセージについても同様であり、加入者側装置ではこれらメッセージを受信してから6フレーム時間内であれば、どの時点で該送出許可情報に対するセルの送出を開始（有効の場合。無効の場合は停止）してもよい。
【００２９】
網側装置ではこのタイミングを認識できないため、メッセージ送出後すぐにこの送出許可情報を使用してポーリングを開始すると、加入者側装置で処理が完了するまでの間のポーリングに対しては加入者側装置はセルを送出しない。
【００３０】
さらにG.983.1では、ポーリングに対して規定回数（8回）連続で有効なセルの入力が無い場合、入力断状態(LOSi)であるとして該当する加入者側装置を非運用状態にする処理を行なうため、規定を満足する加入者側装置でも上記のことを考慮しないと、最悪のタイミングではこの非運用処理が行なわれてしまう。
【００３１】
また、起動中においても、この点を考慮しないとセルの送出要求に対してセルが送出されず、該加入者側装置をうまく起動できないことになる。
【００３２】
また、ミニセル送出許可情報はグループで1つの送出許可情報を使用するため、ある加入者側装置が有効／無効不確定時にも該送出許可情報が有効な他の加入者側装置に対して該送出許可情報によるポーリング情報が生成される場合があり、同様に入力断状態として検出してしまう可能性がある。
【００３３】
本来、これは正しい入力断検出とは言えず、また、入力断状態を検出した場合、網側装置は当該加入者側装置が運用状態であればこれを非運用状態にする処理を行なってしまう為、これに対しては何らかの制御が必要である。
【００３４】
また、同種の送出許可情報に対して複数個の割当を行なった場合や、ミニセル送出許可情報については同一の送出許可情報について異なる設定が指示される場合についても、制御が必要である。
【００３５】
従って本発明は、複数の加入者装置が接続される網側装置及び網側装置を含む通信システムにおいて、最悪なポーリングを回避し、あるいは最悪のポーリングによる入力断検出時であっても正常な加入者側装置を非運用処理対象にしないようにすることを目的とする。
【００３６】
【発明の開示】
上記の目的を達成するため、請求項1の発明では、網側装置が、各加入者側装置に対する送出許可情報の有効性を設定したメッセージを生成する手段と、該ポーリング情報の送出完了時点から各加入者側装置の処理時該送出許可情報を使用して各加入者側装置に対する送出許可の割当を行うためのポーリング情報を生成する手段と、各加入者側装置からの入力セルの断状態を検出する入力断検出手段と、該メッセージ間を考慮した一定時間、該入力断検出手段の該送出許可情報に対する入力断検出動作を待ち合わさせる入力断検出切替制御手段と、を備えたことを特徴としている。
【００３９】
すなわち、網側装置において、上記のメッセージに加えて上記のポーリング情報も各加入者側装置に送出し、加入者側装置での送出許可情報の有効／無効性が不確定とされる一定期間、請求項1の発明のようにポーリングを停止する代わりに、該ポーリング情報による送信許可の割当に対する入力セルの入力断検出自体を停止して該加入者側装置についての誤った入力断検出を防止している。
【００４０】
請求項2の発明では、網側装置が、各加入者側装置に対する送出許可情報の有効性を設定したメッセージを生成する手段と、該送出許可情報を使用して各加入者側装置に対する送出許可の割当を行うためのポーリング情報を生成する手段と、各加入者側装置からの入力セルの断状態を検出する入力断検出手段と、該メッセージ及び該ポーリング情報の送出完了後、該入力断検出手段の検出結果を監視し、該送出許可情報に対する有効／無効性の入力セルをそれぞれ検出/非検出した時以降、該入力断検出手段の該送出許可情報に対する機能を有効/無効にする入力断検出切替制御手段と、を備えたことを特徴としている。
【００４１】
すなわち、網側装置において、加入者側装置での送出許可情報の有効／無効性の処理完了を、請求項1の発明のように一定期間待ち合わせる代わりに、該送出許可情報によるポーリング情報に対する入力セルの有無(検出/非検出)により、以後の入力断検出を実行するか又は実行しないように切替を行なう。
【００４２】
なお、請求項3の発明のように、請求項2の発明において入力断検出の有効／無効を切り替える際に、タイマを用いて一定期間は該切替を行わないようにしてもよい。
【００４３】
請求項4の発明では、各加入者側装置が、網側装置からのメッセージ中の送出許可情報の有効／無効性の設定を認識する手段と、該メッセージにより該有効／無効性の設定を認識した時、該網側装置に対してメッセージを送出する手段とを備え、該網側装置が、該メッセージの生成手段と、入力セルの断状態を検出する入力断検出手段と、各加入者側装置からのメッセージを受けた時、該入力断検出手段を有効／無効にする手段と、を備えたことを特徴としている。
【００４４】
すなわち、加入者側装置の処理完了を、上記の如く網側装置のみで判定するのではなく、網側装置から加入者側装置にメッセージを通知し、加入者側装置は該メッセージの受信により入力断検出の有効/無効の切替を行なっている。
【００４５】
請求項5の発明では、網側装置が、複数の種類の送出許可情報について複数の送出許可情報を管理する手段と、これらの送出許可情報によるポーリングを行う手段と、該ポーリングによって受信する同一加入者側装置からのポーリング情報から、設定された送出許可情報に一致する送出許可情報を検出する手段と、該検出した送出許可情報に基づいて送出許可情報の種類を識別して入力セルを分配する加入者側装置識別手段を有することを特徴としている。
【００４６】
すなわち、同種の送出許可情報に複数のコードを割り当てた場合の制御として、網側装置において各加入者側装置に対応した識別手段を設け、同種の複数の送出許可情報に対して同一の加入者側装置から受信したセルを識別して分配出力する。
【００４７】
請求項6の発明では、網側装置が、メッセージ中に設定される複数の種類の送出許可情報について複数の送出許可情報を管理する手段と、これら送出許可情報の有効/無効の切替をメッセージにより各加入者側装置に通知する手段と、該通知を行った時点から各加入者側装置の処理時間を考慮した一定時間後に自局内での該送出許可情報の切替を実行する手段とを備え、各加入者側装置が、該メッセージを受信してから該一定時間後に自局内での該送出許可情報の切替を実行する手段を有することを特徴としている。
【００４８】
すなわち、同種の送出許可情報に複数のコードを割り当てた場合にこれらを切り替えて使用するため、網側装置において切り替えるタイミングを生成してこれをメッセージにより加入者側装置に通知する。ただし、本発明においては各加入者側装置の処理時間を考慮した一定時間後に、網側装置及び加入者側装置がそれぞれの切替を実行する。
【００４９】
これにより、網側装置で加入者側装置の切替タイミングを認識して切替を行なうことが可能となる。
【００５０】
請求項7の発明では、各加入者側装置が、メッセージ中に設定される複数の種類の送出許可情報の有効/無効の切替を認識する手段と、該網側装置からのメッセージにより該切替を認識した時、該網側装置に対してメッセージを送出する手段と、を備え、該網側装置が、入力セルの断状態を検出する入力断検出手段と、各加入者側装置からのメッセージを受けた時、自局内での該送出許可情報の切替を実行して該入力断検出手段を有効／無効にする手段と、を備えたことを特徴としている。
【００５１】
すなわち、同種の送出許可情報に2つのコードを割り当てた場合に、これらを切り替えて使用するため、請求項6の発明と同様に、網側装置から加入者側装置に送出許可情報の切り替えるタイミングをメッセージにより通知するが、ただし本発明では該メッセージを受信した加入者側装置の側からも切り替えるタイミングをメッセージにより網側装置に返送して網側装置で加入者側装置の切替タイミングを認識して切替を行なうようにしている。
【００５２】
請求項8の発明では、網側装置が、メッセージ中に設定される複数の種類のミニセル送出許可情報を管理する手段と、これらのミニセル送出許可情報の有効/無効の切替を該メッセージにより加入者側装置に通知する手段と、該通知を行った時点から各加入者側装置の処理時間を考慮した一定時間後に自局内での該ミニセル送出許可情報の有効/無効の切替を実行する手段と、を備え、各加入者側装置が、該メッセージを受信してから該一定時間後に自局内での該ミニセル送出許可情報の切替を実行する手段を有することを特徴としている。
【００５３】
すなわち、ミニセル送出許可情報において同一の番号について設定内容（ペイロード長、オフセット値およびサービスID）の異なる割当を行なった場合にこれを切り替えて使用するため、請求項7の発明と同様に、網側装置において切り替えるタイミングを生成してこれをメッセージにより加入者側装置に通知し、網側装置及び加入者側装置がそれぞれ上記の一定期間経過後に該設定の切替を行うことにより網側装置で加入者側装置の切替タイミングを認識して切替を行なうようにしている。
【００５４】
請求項9の発明では、各加入者側装置が、メッセージ中に設定されるミニセル送出許可情報の複数の設定を認識する手段と、網側装置からのメッセージにより該設定の切替を認識した時、該網側装置に対してメッセージを送出する手段とを備え、該網側装置が、入力セルの断状態を検出する入力断検出手段と、各加入者側装置からのメッセージを受けた時、自局内での該ミニセル送出許可情報の設定の切替を実行して該入力断検出手段を有効／無効にする手段と、を備えたことを特徴としている。
【００５５】
すなわち、ミニセル送出許可情報において同一の番号について設定内容（ペイロード長、オフセット値およびサービスID）の異なる割当を行なった場合にこれを切り替えて使用するため、請求項7の発明と同様に、網側装置から加入者側装置へ切り替えるタイミングをメッセージにより通知し、更に加入者側装置から網側装置へ通知することで、網側装置および加入者側装置が切替を同期して行なうようにしている。
【００５６】
なお、該送出許可情報が物理層OAMセル送出許可情報及びデータセル送出許可情報を含むことができる。
【００５７】
【発明を実施するための最良の形態】
・実施例(1)
第1図に本発明の実施例(1)における特に網側装置の構成例を示す。この実施例では、図27に示した従来例と異なる構成として、ポーリング制御部7が設けられている。このポーリング制御部7は、メッセージ生成部2とポーリング情報生成部3との間に設けられてポーリング切替タイミングを制御するものである。なお、加入者側装置ONU の 構成は示されていないが、これは図27の 従来例と同じであるためであり、以下の実施例についても同様である。
【００５８】
第2図に本実施例における送出許可情報によるポーリング制御の動作例が示されており、送出許可情報(1)の有効時にはこれを通知するメッセージをメッセージ生成部2が 送出完了した時点(図示の例では3回目送出時点)から内蔵するタイマ(図示せず)を使用して加入者側装置ONUの処理時間を考慮した一定時間だけ待ち合わせを行い、この待ち合わせの後、ポーリング情報生成部3に対して当該送出許可情報(1)によるポーリングの開始を指示する。
【００５９】
ただし、送出許可情報(1)の無効時にはこれを通知するメッセージを送出前または送出開始時点(1回目送出時点)からポーリング情報生成部3に対して当該送出許可情報(1)によるポーリングの停止を指示する。
【００６０】
このように、本実施例によれば、送出許可情報の有効／無効時のポーリングを加入者側装置ONUにおいて該送出許可情報が有効であるときのみ行なうことが可能となり、各加入者側装置についての入力断検出を誤りなく正確に行なうことができる。
・実施例(2)
第3図に本発明の実施例(2)における特に網側装置の構成を示す。 本実施例の特徴はメッセージ生成部2と入力断検出部4との間に入力断検出切替制御部8を設けている点である。
【００６１】
第4図に本実施例における送出許可情報に対する入力断検出の制御タイミングの動作例が示されており、入力断検出切替制御部8は送出許可情報(1)の有効時には、これを通知するメッセージ及びポーリング情報の送出完了時点からタイマを使用して加入者側装置ONUの処理時間を考慮した待ち合わせを行い、この待ち合わせ時間が経過した後、入力断検出部4に対して当該送出許可情報(1)を入力断検出対象とすることを指示する。
【００６２】
ただし、送出許可情報(1)の無効時には、上記の実施例(1)と同様に、これを通知するメッセージ及びポーリング情報を送出開始した時点から入力断検出部4に対して当該送出許可情報(1)を入力断検出の対象外とすることを指示する。
【００６３】
このように、本実施例によれば、一定の待ち合わせ時間経過後は送出許可情報によるポーリング情報に基づいた入力断検出が可能となる。
・実施例(3)
第5図に本発明の実施例(3)における特に網側装置の構成例を示す。この実施例の特徴は、実施例(2)の入力断検出切替制御部8の代わりに、別の機能を有する入力断検出切替制御部9を用いている点である。
【００６４】
第6図に本実施例における送出許可情報に対する入力断検出の制御タイミングの動作例が示されており、入力断検出切替制御部9は送出許可情報(1)の有効時にはこれを通知するメッセージ及びポーリング情報が送出開始された時点から入力断検出部4の検出結果を監視しており、当該送出許可情報(1)に対する有効な入力セルを受信した時点t1を以って入力断検出部4に対して当該送出許可情報(1)を入力断検出の対象とすることを指示する。
【００６５】
また、送出許可情報(1)の無効時には、これを通知するメッセージを送出開始した時点から入力断検出部4の検出結果を監視し、当該送出許可情報(1)に対する有効な入力セルを受信できなかった時点t2を以て入力断検出部4に対して当該送出許可情報(1)を入力断検出の対象外とすることを指示する。
・実施例(4)
本実施例では、実施例(3)に対して、第7図に示す構成のように、メッセージ生成部2と入力断検出切替制御部8(第3図参照)との間にタイマ10を設けることも可能である。
【００６６】
すなわち、この実施例(4)によれば、第8図(1)のタイムチャートに示すように、メッセージ及びポーリング情報の送出完了後の入力断検出結果および時間を、タイマ10による一定時間経過後に監視することで、加入者側装置ONUにおいて網側装置OLTからのメッセージが処理されたか否かの判定を行なうことが可能となる。入力断検出部4の入力断検出対象／対象外の切替についてはタイマ10による待ち合わせの後(時点t1)としてもよい。
【００６７】
これは、同図(1)に示す送出許可情報(1)の有効時及び同図(2)に示す送出許可情報(1)の無効時にも共に適用することが可能である。
・実施例(5)
本実施例は、G.983の規定にはないが、加入者側装置が有効／無効処理の完了をメッセージで網側装置に通知する場合に適用可能であり、第9図に示す如く、網側装置OLT は第5図の実施例(3)と同様の構成を有するが、加入者側装置は、第27図の加入者側装置ONUに送出許可情報設定制御部27を新たに設けた点を特徴としている。この送出許可情報設定制御部27は、メッセージ処理部21及び送出許可情報管理部23とメッセージ生成部26との間に設けられている。
【００６８】
この実施例の動作では、第10図のタイムチャートに示す如く、加入者側装置ONUにおいてメッセージ処理部21が網側装置OLTからのメッセージを受信処理してその中の送出許可情報の有効／無効を認識し送出許可情報設定制御部27に通知する。
【００６９】
送出許可情報設定制御部27は送出許可情報管理部23に対して送出許可情報(1)の有効／無効を設定するタイミングの生成を指示し、メッセージ生成部26に対して網側装置OLTが前記タイミングを認識できるメッセージの送出要求を行ない、生成したタイミングにより送出許可情報管理部23の設定を変更する。
【００７０】
網側装置OLTでは、入力断検出切替制御部8が当該加入者側装置ONUから前記メッセージを受信すると上記タイミングを認識し、送出許可情報の有効時には当該送出許可情報(1)を入力断検出対象とし、無効時には当該送出許可情報(1)を入力断検出対象外とする制御を入力断検出4に対して行なう。
【００７１】
なお、第10図に示す如く、加入者側装置ONUにおいてメッセージ送出後から送出許可情報の有効/無効時までの一定時間、及び網側装置OLTにおいてメッセージ受信後から送出許可情報を入力断検出対象/非対象とするまでの一定時間を共に待ち合わせ時間として設けてもよい。
・実施例(6)
第11図に本実施例における構成を示す。この実施例では、網側装置OLTにおいて、送出許可情報管理部1が、送出許可情報種別毎に2つの送出許可情報コード割当を行なえるようになっている。
【００７２】
すなわち、送出許可情報管理部1は各加入者側装置ONUi毎に複数の送出許可情報を管理しており、ポーリング情報生成部(第1図参照)では送出許可情報管理部1において有効となっている送出許可情報に基づいて加入者側装置毎にポーリング情報を生成する。
【００７３】
送出許可情報管理部1は、生成されたポーリング情報を、設定された送出許可情報と比較し、各送出許可情報の種別毎に、設定された送出許可情報をレジスタ31〜36に保持し、生成されたポーリング情報をこれと比較し、一致情報の論理和をとる多重化部(MUX)37〜39を経由して識別部6へ通知し、識別部6では、この情報に基づいて加入者側装置毎にセル種別を識別し、各セルの処理部(図示せず)へ分配する。
【００７４】
本実施例によれば異なる送出許可情報が有効である場合にもこれらに対して受信する情報をセル種別毎に順に多重化することが可能となる。
・実施例(7)
第12図に本実施例における構成を示す。この実施例では、第27図の網側装置OLTにおいてメッセージ生成部2と入力断検出部4と識別部6との間に送出許可情報切替制御11を設け、同図の加入者側装置OUNにおいてメッセージ処理部21と送出許可情報管理部23との間に送出許可情報切替制御部28を設けたことを特徴としている。
【００７５】
すなわち、第13図に本実施例における網側装置および加入者側装置の切替タイミング動作を示すように、網側装置OLTにおいて、送出許可情報管理部1は加入者側装置ONUの同種の送出許可情報について2つのコードを設定できる機能を具備し、例えばある加入者側装置の送出許可情報に送出許可情報(1)および送出許可情報(2)が割り当てられるとする。
【００７６】
網側装置OLTにおいては、該加入者側装置ONUの有効な送出許可情報を送出許可情報(1)から送出許可情報(2)に切り替える場合において、切替制御部11は切替のタイミングを生成してこれを加入者側装置ONUに通知するメッセージの送出をメッセージ生成部2に要求し、メッセージ送出完了時点に基づき、その一定待ち合わせ時間後に、入力断検出部4と識別部6を制御することで前記切替を行なう。
【００７７】
加入者側装置ONUでも、送出許可情報管理部23が同種の送出許可情報について2つのコードを認識できる機能を具備し、網側装置OLTより前記メッセージを受信すると受信時点に基づいて同じ一定の待ち合わせ時間後に送出許可情報の切替を行なう。これは、送出許可情報(2)から送出許可情報(1)の場合も同様である。
・実施例(8)
第14図に本実施例における構成を示す。この実施例では、第12図の実施例(7)における網側装置OLTの送信許可情報切替制御部12が識別部6からの識別結果を受けている点と、加入者側ONUにおいて、送信許可情報切替制御部29がメッセージ生成部25と相互接続されている点が異なっている。
【００７８】
すなわち、第15図に本実施例における網側装置および加入者側装置の切替タイミング動作例を示すように、網側装置OLTにおいて、送出許可情報管理部1は任意の加入者側装置ONUの同種の送出許可情報について2つのコードを割り当てるものとし、例えばこれを上記と同様に送出許可情報(1)および送出許可情報(2)とする。
【００７９】
網側装置OLTにおいて有効な送出許可情報を送出許可情報(1)から送出許可情報(2)に切り替える場合において、切替制御部12の制御を受けたメッセージ生成部2がこれを通知するメッセージを送出する。
【００８０】
加入者側装置ONUは送出許可情報管理部29において同種の送出許可情報について2つのコードを管理し、網側装置OLTより前記メッセージを受信すると切替制御部29は切替を行なうタイミングを生成し、メッセージ生成部25を制御して、これを通知するメッセージの送出を要求してメッセージ送出時点に基づいて前記送出許可情報切替を行なう。
【００８１】
網側装置OLTでは、加入者側装置ONUより前記メッセージを受信すると受信時点に基づいて送出許可情報の切替を行なう。
【００８２】
なお、この実施例においても、第10図の実施例(5)と同様に一定の待ち合わせ時間を網側装置OLT及び加入者側装置ONUの双方において設けてもよい。
・実施例(9)
第16図に本実施例における構成を示す。この実施例では、第12図の実施例(7)において、網側装置OLTの送信許可情報切替制御部11の代わりにミニセル設定切替制御部13を用い、加入者側装置ONUの送信許可情報切替制御部28の代わりにミニセル設定切替制御部30を用いている点が特徴である。
【００８３】
すなわち、第17図に本実施例における網側装置および加入者側装置の切替タイミング動作例を示すように、網側装置OLTにおいては、送出許可情報管理部1にミニセル送出許可情報について同一の番号に2つの設定を割り当てられるものとし、例えばこれを設定(1)および設定(2)とする。
【００８４】
網側装置OLTにおいてミニセル送出許可情報の有効な設定を設定(1)から設定(2)に切り替えるため、ミニセル設定切替制御部13はこれを切り替えるタイミングを生成し、メッセージ生成部1を制御して、これを通知するメッセージの送出を行い、メッセージ送出時点に基づいて一定の待ち合わせ時間後に入力断検出部4及び識別部6における前記設定の切替を行なう。
【００８５】
加入者側装置ONUは送出許可情報管理部23に同種の送出許可情報について2つのコードを設定できる機能を具備し、網側装置OLTより前記メッセージを受信すると、受信時点に基づいてミニセル設定切替制御部30が送信許可情報管理部23を制御することで同様の一定の待ち合わせ時間後に送出許可情報の切替を行なう。
・実施例(10)
第18図に本実施例における構成を示す。この実施例では、第14図の実施例(8)における送出許可情報切替制御部12及び29の代わりにミニセル切替制御部14及び31をそれぞれ用いていることを特徴としている。
【００８６】
すなわち、第19図に示す切替タイミング動作例のように、ミニセル送出許可情報において設定内容（ペイロード長、オフセット値およびサービスID）の異なる割当を行なってこれらを切り替えて使用する方式として、加入者側装置ONUにおいて切り替えるタイミングをミニセル切替制御部31がメッセージ生成部26を介してメッセージにより網側装置OLTに通知して網側装置OLTと加者側装置ONUが同時に切り替えを行なう機能を網側装置と加入者側装置に備えたものである。
【００８７】
すなわち、加入者側装置ONUのミニセル切替制御部31は、送出許可情報管理部23に同種の送出許可情報について2つのコードを設定できる機能と、使用する送出許可情報への切替タイミングの生成および切替制御を行なう機能を有する。
【００８８】
また、網側装置OLTのミニセル切替制御部14は、送出許可情報管理部1に同種の送出許可情報について2つのコードを設定できる機能と、メッセージを抽出して通知されたタイミングに従って送出許可情報を切り替える制御を行なう機能とを備えている。
【００８９】
この実施例においても、第10図の実施例(5)及び第15図の実施例(8)と同様に網側装置OLT及び加入者側装置ONUの双方に切替までの待ち合わせ時間を設けてもよい。
【００９０】
以上説明したように、本発明に係る網側装置及び、複数の加入者側装置が共通の媒介によって一つの網側装置に接続され、網側装置が割り当てる送出許可情報によってポーリングが行われる通信システムにおいて、加入者側装置及び網側装置の双方で運用動作に影響しない送出許可情報の変更が可能となる。
【図面の簡単な説明】
【図１】本発明の実施例(1)の構成を示すブロック図である。
【図２】本発明の実施例(1)の動作例(ポーリング実行タイミング)を示すタイムチャート図である。
【図３】本発明の実施例(2)の構成を示すブロック図である。
【図４】本発明の実施例(2)の動作例(入力断検出/非検出タイミング)を示すタイムチャート図である。
【図５】本発明の実施例(3)の構成を示すブロック図である。
【図６】本発明の実施例(3)の動作例(入力断検出/非検出タイミング)を示すタイムチャート図である。
【図７】本発明の実施例(4)の構成を示すブロック図である。
【図８】本発明の実施例(4)の動作例(入力断検出/非検出タイミング)を示すタイムチャート図である。
【図９】本発明の実施例(5)の構成を示すブロック図である。
【図１０】本発明の実施例(5)の動作例(入力断検出/非検出タイミング)を示すタイムチャート図である。
【図１１】本発明の実施例(6)の構成を示すブロック図である。
【図１２】本発明の実施例(7)の構成を示すブロック図である。
【図１３】本発明の実施例(7)の動作例(送出許可情報の切替タイミング)を示すタイムチャート図である。
【図１４】本発明の実施例(8)の構成を示すブロック図である。
【図１５】本発明の実施例(8)の動作例(送出許可情報の切替タイミング)を示すタイムチャート図である。
【図１６】本発明の実施例(9)の構成を示すブロック図である。
【図１７】本発明の実施例(9)の動作例(ミニセル設定切替のタイミング)を示すタイムチャート図である。
【図１８】本発明の実施例(10)の構成を示すブロック図である。
【図１９】本発明の実施例(10)の動作例(ミニセル設定切替のタイミング)を示すタイムチャート図である。
【図２０】ATM-PONフレーム(ITU-TG.983.1)の構成を説明するためブロック図である。
【図２１】下り物理層OAM(PLOAM)セルの構成例を示す図である。
【図２２】上り物理層OAM(PLOAM)セルの構成例を示す図である。
【図２３】メッセージ中の領域GRANT1-27 と上りタイムスロットとの対応関係を説明するための図である。
【図２４】PLOAM/データ・セル送出許可情報割当(Grant allocation)メッセージを示した図である。
【図２５】ミニセル送出許可情報設定(Divided slot grant configuration)メッセージを示した図である。
【図２６】ミニセル送出許可情報(Divided slot grant) における設定項目を示した図である。
【図２７】従来の基本構成例を示したブロック図である。
【図１】
0003761814.tif 000002
【図２】
0003761814.tif 000003
【図３】
0003761814.tif 000004
【図４】
0003761814.tif 000005
【図５】
0003761814.tif 000006
【図６】
0003761814.tif 000007
【図７】
0003761814.tif 000008
【図８】
0003761814.tif 000009
【図９】
0003761814.tif 000010
【図１０】
0003761814.tif 000011
【図１１】
0003761814.tif 000012
【図１２】
0003761814.tif 000013
【図１３】
0003761814.tif 000014
【図１４】
0003761814.tif 000015
【図１５】
0003761814.tif 000016
【図１６】
0003761814.tif 000017
【図１７】
0003761814.tif 000018
【図１８】
0003761814.tif 000019
【図１９】
0003761814.tif 000020
【図２０】
0003761814.tif 000021
【図２１】
0003761814.tif 000022
【図２２】
0003761814.tif 000023
【図２３】
0003761814.tif 000024
【図２４】
0003761814.tif 000025
【図２５】
0003761814.tif 000026
【図２６】
0003761814.tif 000027
【図２７】
0003761814.tif 000028